(57)【要約】【課題】添加剤の残量を検知して添加剤の寿命時期を知らせることのできる水処理装置を得る。【解決手段】水に添加する添加剤７を通水路１内に充填し、前記添加剤１の充填層に当接して設けられるとともに、前記添加剤１の減少に伴い駆動することで前記添加剤１の残量を検知する残量検知手段２０を設けた。【選択図】図１
2010274149.tif 000002
【特許請求の範囲】
【請求項１】
水に添加する添加剤を通水路内に充填し、
前記添加剤の充填層に当接して設けられるとともに、前記添加剤の減少に伴い駆動することで前記添加剤の残量を検知する残量検知手段を設けたことを特徴とする水処理装置。
【請求項２】
前記残量検知手段は、前記通水路の内外を連通して配置されるとともに、前記添加剤の充填層に載置される駆動部と、
前記添加剤の減少に伴う前記駆動部の駆動量に応じて前記添加剤の残量を表示する表示部とを備えることを特徴とする請求項１に記載の水処理装置。
【請求項３】
前記残量検知手段は、前記添加剤の充填層に載置される蓋部と、当該蓋部を前記添加剤の充填層に向けて付勢する付勢部とを有した駆動部を備えており、
前記蓋部を前記添加剤の減少に伴い前記通水路を塞ぐように駆動させたことを特徴とする請求項１に記載の水処理装置。
【請求項４】
前記残量検知手段は、前記添加剤の充填層に載置される当接部と、当該当接部を前記添加剤の充填層に向けて付勢する付勢部とを有した駆動部と、
前記当接部と前記通水路の壁面に配置され、前記添加剤の減少に伴い変化する互いの距離に応じて前記添加剤の残量を検知するセンサ部とを備えることを特徴とする請求項１に記載の水処理装置。
【請求項５】
前記添加剤の下流側には、当該添加剤の漏れを防止する透水性の網目状部材が配設されていることを特徴とする請求項１〜４のうち何れか１項に記載の水処理装置。
【発明の詳細な説明】
【技術分野】
【０００１】
本発明は、添加剤の成分を水中に溶出させて水質改善する水処理装置に関する。
【背景技術】
【０００２】
従来より、流入口および流出口を有した外筒内に、電解促進剤（添加剤）が収容された内筒を設け、この添加装置の内筒または外筒の少なくとも一方を動かすことで、添加装置内に入る水の量を変えることなく溶出力調整手段により内筒に入る水の量のみを調整して電解促進剤の溶出量を調整するようにしたものが知られている（例えば、特許文献１参照）。
【先行技術文献】
【特許文献】
【０００３】
【特許文献１】特許第３８９３４８２号公報
【発明の概要】
【発明が解決しようとする課題】
【０００４】
しかしながら、上記従来技術では、電解促進剤の溶出量を調整することはできるものの、電解促進剤の残量を検知することはできないため、電解促進剤の寿命時期をユーザーに告知することができないという問題があった。
【０００５】
そこで、本発明は、添加剤の残量を検知して添加剤の寿命時期を知らせることのできる水処理装置を得ることを目的とする。
【課題を解決するための手段】
【０００６】
請求項１の発明にあっては、水に添加する添加剤を通水路内に充填し、前記添加剤の充填層に当接して設けられるとともに、前記添加剤の減少に伴い駆動することで前記添加剤の残量を検知する残量検知手段を設けたことを特徴とする。
【０００７】
請求項２の発明にあっては、前記残量検知手段は、前記通水路の内外を連通して配置されるとともに、前記添加剤の充填層に載置される駆動部と、前記添加剤の減少に伴う前記駆動部の駆動量に応じて前記添加剤の残量を表示する表示部とを備えることを特徴とする。
【０００８】
請求項３の発明にあっては、前記残量検知手段は、前記添加剤の充填層に載置される蓋部と、当該蓋部を前記添加剤の充填層に向けて付勢する付勢部とを有した駆動部を備えており、前記蓋部を前記添加剤の減少に伴い前記通水路を塞ぐように駆動させたことを特徴とする。
【０００９】
請求項４の発明にあっては、前記残量検知手段は、前記添加剤の充填層に載置される当接部と、当該当接部を前記添加剤の充填層に向けて付勢する付勢部とを有した駆動部と、前記当接部と前記通水路の壁面に配置され、前記添加剤の減少に伴い変化する互いの距離に応じて前記添加剤の残量を検知するセンサ部とを備えることを特徴とする。
【００１０】
請求項５の発明にあっては、前記添加剤の下流側には、当該添加剤の漏れを防止する透水性の網目状部材が配設されていることを特徴とする。
【発明の効果】
【００１１】
請求項１の発明によれば、添加剤の残量を検知する残量検知手段が設けられているため、添加剤の残量を検知して添加剤の寿命時期を知らせることができる。
【００１２】
請求項２の発明によれば、通水路の内外を連通して配置されるとともに、添加剤の充填層に載置される駆動部の駆動量に応じて添加剤の残量を表示するという比較的簡素な構成で添加剤の残量を検知することができる。
【００１３】
請求項３の発明によれば、添加剤が無くなると水が流れなくなるため、添加剤の残量の確認作業を容易にすることができる。
【００１４】
請求項４の発明によれば、請求項１と同様の作用効果を得ることができる。
【００１５】
請求項５の発明によれば、添加剤が通水路の吐出口から漏れ出てしまうのを防止することができる。
【図面の簡単な説明】
【００１６】
【図１】本発明の第１実施形態にかかる水処理装置を示した図であり、添加剤残量の満状態を示した図である。
【図２】図１に示す水処理装置の添加剤残量が空になった状態を示した図である。
【図３】本発明の第２実施形態にかかる水処理装置を示した図であり、添加剤残量の満状態を示した図である。
【図４】図３に示す水処理装置の添加剤残量が空になった状態を示した図である。
【図５】本発明の第３実施形態にかかる水処理装置を示した図であり、添加剤残量の満状態を示した図である。
【図６】図５に示す水処理装置の添加剤残量が空になった状態を示した図である。
【発明を実施するための形態】
【００１７】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１８】
［第１実施形態］
図１および図２は、本発明にかかる水処理装置１０の第１実施形態を示した図である。本実施形態の水処理装置１０は、水処理として水に添加剤７の成分を溶出させて水質改善するものであり、添加剤７が通水路１内に直接充填され、その添加剤７の充填された位置よりも下流側（図中右側）の通水路１内に添加剤７の漏れを防止する透水性の網目状部材６を設けた構成となっている。そして、添加剤７の充填位置よりも上流側（図中左側）に配置した図示せぬ原水供給源から処理前の水を通水路１内に導入し、添加剤７に接触させることでミネラル水を下流側から吐出するようにしている。
【００１９】
網目状部材６は、添加剤７の通過を阻止しつつ水の通過を許容する材料で形成されればよく、たとえば、不織布やメッシュもしくは多孔質の焼結板などを用いることができる。
【００２０】
添加剤７は、水中に溶出させる目的の成分、例えばカルシウム、マグネシウム、ビタミン類などの成分を含んだ粒状（直径数ミリ程度）のものが用いられ、通水路１の一端部（本実施形態では上壁部）に形成された開口部２から充填される。
【００２１】
ここで、本実施形態では、この添加剤７の充填層に当接して設けられ、添加剤７の減少に伴い駆動することで添加剤７の残量を検知する残量検知手段２０が設けられている。
【００２２】
残量検知手段２０は、図１に示すように、開口部２を介して通水路１の内外を連通して配置されるとともに、添加剤７の充填層の上面７ａに載置される駆動部４と、添加剤７の減少に伴う駆動部４の駆動量に応じて添加剤７の残量を表示する表示部５とを備えて構成されている。
【００２３】
駆動部４は、作業者が押圧操作する大径部４ａと、下面４ｃが添加剤７の充填層の上面７ａに当接する小径部４ｂとを備えた略Ｔ字状に形成されている。すなわち、本実施形態では、駆動部４は添加剤７の減少に伴い作業者が大径部４ａを押すことで駆動する押圧部材により構成されており、この押圧部材はプラスチック製などの比較的軽量のものが用いられ、作業者が手を離すことによって水の浮力で元の位置に押し戻されるようになっている。
【００２４】
そして、通水路１に設けられた開口部２には、その周縁から上方に向けてフランジ部３が立設されており、駆動部４の小径部４ｂはこのフランジ部３の上方から挿入されて外周部４ｄがフランジ部３の内壁部３ａに支持されることにより、駆動部４が添加剤７の充填層の上面７ａに載置された状態で維持される。
【００２５】
表示部５は、駆動部３の小径部４ｂに描かれた目盛８と、添加剤７の減少に伴いこの目盛８を指し示すベース部材９とによって構成される。すなわち、本実施形態では、添加剤７の充填層の高さ幅と添加剤７の残量を表示する目盛幅が等しくなるように小径部４ｂに目盛８を描き、添加剤７の残量が１００％の状態でベース部材９の天面９ａが目盛８の満を指し示すようにベース部材９を通水路１に取り付けるようにしている。なお、ベース部材９には、駆動部４の小径部４ｂを挿入させるための開口部９ｂが形成されている。
【００２６】
以上の構成により、本実施形態の水処理装置１０では、添加剤７の残量を検知する残量検知手段２０が設けられているため、添加剤７の残量を検知して添加剤７の寿命時期を知らせることができる。
【００２７】
また、本実施形態では、通水路１の内外を連通して配置されるとともに、添加剤７の充填層に載置される駆動部４の駆動量に応じて添加剤７の残量を表示するという比較的簡素な構成で添加剤７の残量を検知することができる。
【００２８】
また、本実施形態では、添加剤７の下流側には、添加剤７の漏れを防止する透水性の網目状部材６が設けられているため、添加剤７が通水路１の吐出口から漏れ出てしまうのを防止することができる。
【００２９】
なお、本実施形態では、添加剤７の減少に伴い押圧操作すことで駆動するプラスチック製の押圧部材を用いたが、これに限定されず、例えば比較的重量のある部材を添加剤７の充填層に載置させて駆動部４を構成し、当該駆動部４の自重によって駆動させていくようにしてもよい。
【００３０】
［第２実施形態］
次に、本発明の第２実施形態について図面を参照して説明する。図３および図４は本実施形態にかかる水処置装置を示した図である。
【００３１】
本実施形態の水処理装置１０Ａは、上記第１実施形態にかかる水処理装置２０に対して、添加剤４の残量を検知する残量検知手段２０Ａが異なっている。
【００３２】
具体的には、本実施形態の残量検知手段２０Ａは、添加剤７の充填層の上面７ａに載置される止水弁（蓋部）１２と、当該止水弁１２を添加剤７の充填層に向けて付勢するバネ（付勢部）１３とを有した駆動部１４を備えており、止水弁１３を添加剤７の減少に伴い通水路１を塞ぐように駆動させるようにした。
【００３３】
図３に示すように、本実施形態では、通水路１が略Ｌ字状に折れ曲がるようにして設けられている。そして、この通水路１の下流側（図中下側）には縮径部１ａが形成されており、この縮径部１ａを囲繞するように取り付けられた支持プレート１６の上に添加剤７が充填されるようになっている。
【００３４】
支持プレート１６は、縮径部１ａの開口を塞ぐようにして断面略コの字状に形成されている。支持プレート１６の上壁部１６ａには、通水路１の水を通過させるための開口部１６ｂが設けられており、この開口部１６ｂを介して添加剤７に接触した水が流れ落ちることでミネラル水が生成される。また、本実施形態では、開口部１６ｂの大きさが添加剤７の粒径よりも大きく形成されているが、この開口部１６ｂの一段下がった内周部に配置された網目状部材６によって添加剤７の漏れが防止されている。
【００３５】
そして、添加剤７の充填層の上面７ａには止水弁１２が載置される。この止水弁１２は、支持プレート１６の上壁部１６ａに形成された開口部１６ｂをすっぽり覆うことが可能な大きさとされ、さらに好ましくは上壁部１６ａよりも大径に形成される。
【００３６】
止水弁１２の添加剤７と接触する側と反対側の面にはバネ１３が配置される。本実施形態では、止水弁１２の真上となる位置の通水路１に開口部１１を形成し、当該開口部１１を塞ぐようにしてバネ１３の基端部が固定された蓋体１５を取り付けることで、止水弁１２とバネ１３とを対向配置させるようにし、バネ１３の先端部で止水弁１２を添加剤７の充填層に向けて付勢できるように構成した。
【００３７】
以上の構成により、本実施形態の水処理装置１０Ａでは、止水弁１３を添加剤７の減少に伴い通水路１を塞ぐように駆動させて、添加剤７が無くなると水が流れなくなるようにしたため、添加剤７の残量の確認作業を容易にすることができる。
【００３８】
なお、本実施形態では、止水弁１３を添加剤７の充填層に向けて付勢する付勢部としてバネ１２を用いたが、これに限定されず、例えば付勢部として止水弁１２の上に重りを設けたりしてもよい。
【００３９】
［第３実施形態］
次に、本発明の第３実施形態について図面を参照して説明する。図５および図６は本実施形態にかかる水処置装置を示した図である。
【００４０】
本実施形態にかかる水処理装置１０Ｂは、上記第１及び第２実施形態にかかる水処理装置１０、１０Ａに対して、添加剤４の残量を検知する残量検知手段２０Ｂが異なっている。
【００４１】
具体的には、本実施形態の残量検知手段２０Ａは、添加剤７の充填層の上面７ａに載置される当接部１７と、当該当接部１７を添加剤７の充填層に向けて付勢するバネ（付勢部）１８とを有した駆動部１９と、当接部１７と通水路１の外壁面１ｂに配置され、添加剤７の減少に伴い変化する互いの距離に応じて添加剤７の残量を検知するセンサ部２２とを備えている。
【００４２】
図５に示すように、本実施形態では、通水路１の一端部（本実施形態では上壁部）に外方に向けて凸設された凸部１ｃが設けられており、この凸部１ｃの奥壁１ｄにバネ１８の基端部が固定されている。
【００４３】
バネ１８には、断面逆Ｔ字状の当接部材が取り付けられるようになっていて、そのＴ字状に張り出した当接部１７がバネ１８の先端部によって付勢される。
【００４４】
そして、この当接部１７の内部と通水路１の外壁面１ｂに、本実施形態では、添加剤７の充填層を挟み込むようにしてセンサ部２２が配設されている。
【００４５】
センサ部２２は、添加剤７の減少に伴い変化する互いの距離に応じて添加剤７の残量を検知するようになっている。本実施形態では、磁石と磁気センサ（ホール素子）によって構成されたセンサ部２２を用いており、センサ部２２は、例えば添加剤７の残量が無くなった場合、すなわち、互いの距離が最も近くなった場合の出力（電流値）で表示ランプを点灯させるようにしたり、アラーム等の音を鳴らさせるようにすることで、添加剤７の消費を告知することができる。
【００４６】
以上の構成により、本実施形態の水処理装置１０Ｂでは、添加剤７の減少に伴い変化する互いの距離に応じて添加剤７の残量を検知するセンサ部２２を備えるため、上記第１実施形態と同様に、添加剤７の残量を検知して添加剤７の寿命時期を知らせることができるようになる。
【００４７】
以上、本発明の好適な実施形態について説明したが、本発明は上記実施形態には限定されず、種々の変形が可能である。
【符号の説明】
【００４８】
１    通水路
４    駆動部
５    表示部
７    添加剤
１０〜１０Ｂ  水処理装置
２０  残量検知手段
【図１】
2010274149.tif 000003
【図２】
2010274149.tif 000004
【図３】
2010274149.tif 000005
【図４】
2010274149.tif 000006
【図５】
2010274149.tif 000007
【図６】
2010274149.tif 000008